(57)【要約】【課題】  本発明は、座面の多様な動きによって腰掛けた使用者の腰部、ひいては身体全体に心地よい刺激を与える健康椅子を提供することにある。【解決手段】  座板１と中板２と底板３とを上下に三段重ね、さらに底板３の底面側から複数本の脚４を垂下して椅子型に構成し、前記中板２及び底板３の各天面側において前後各端部の左右側に各々配設した各下支持体６ａ，６ｂと、前記中板２及び座板１の底面側における当該各下支持体６ａ，６ｂに相対向する上支持体５ａ，５ｂと、当該各上下支持体５ａ，５ｂ，６ａ，６ｂ間に介在する球体８ａ，８ｂとを備え、座板１と中板２、及び中板２と座板３の間に、座板１と中板２の揺動を許可し、さらに球体８ａ，８ｂの離脱を防ぐ規制部材１０ａ，１０ｂを設けたものである。【選択図】      図２
2006020952.tif 000002
【特許請求の範囲】
【請求項１】
座板（１）と中板（２）と底板（３）とを上下に三段重ね、さらに底板（３）の底面側から複数本の脚（４）を垂下して椅子型に構成し、
前記中板（２）及び底板（３）の各天面側において前後各端部の左右側に各々配設した各下支持体（６ａ，６ｂ）と、前記中板（２）及び座板（１）の底面側における当該各下支持体（６ａ，６ｂ）に相対向する上支持体（５ａ，５ｂ）と、当該各上下支持体（５ａ，５ｂ，６ａ，６ｂ）間に介在する球体（８ａ，８ｂ）とを備え、
座板（１）と中板（２）との間に設ける下支持体（６ａ）は、上向きに窪み且つ前後に延長したガイド溝（７ｂ）を、また上支持体（５ａ）には下向きに窪み且つ前後に延長したガイド溝（７ａ）をそれぞれ設け、前記球体（８ａ）が各ガイド溝（７ａ，７ｂ）にそれぞれ当接しており、
また中板（２）と底板（３）との間に設ける前記下支持体（６ｂ）は、上向きに窪み且つ左右に延長したガイド溝（７ａ）を、また上支持体（５ｂ）には下向きに窪み且つ左右に延長したガイド溝（７ｂ）をそれぞれ設け、前記球体（８ｂ）が各ガイド溝（７ａ，７ｂ）にそれぞれ当接しており、
前記中板（２）天面側における下支持体（６ａ）の前後いずれかの箇所の左右側に各々配設した各起立部材（９ａ，９ａ）と、当該各起立部材（９ａ，９ａ）間に架設する規制部材（１０ａ）と、座板（１）座面側に備えた垂下部材（１１，１１）と、該垂下部材（１１，１１）において座板（１）底面側との間に前記規制部材（１０ａ）を上下に挟むように取り付けられ且つ該規制部材（１０ａ）に沿って前記座板（１）とともに移動可能とする滑り部材（１２）とを備え
また前記底板（３）天面側における下支持体（６ｂ）の左右いずれかの箇所の前後側に各々配設した各起立部材（９ｂ，９ｂ）と、当該各起立部材（９ｂ，９ｂ）間に架設する規制部材（１０ｂ）と、中板（２）底面側に備えた垂下部材（１１，１１）と、該垂下部材（１１，１１）において中板（２）底面側との間に前記規制部材（１０ｂ）を上下に挟むように取り付けられ且つ該規制部材（１０ｂ）に沿って前記中板（２）とともに移動可能とする滑り部材（１２）とを備えていることを特徴とする健康椅子。
【請求項２】
座板（１）と中板（２）と底板（３）とを上下に三段重ね、さらに底板（３）の底面側から複数本の脚（４）を垂下して椅子型に構成し、
前記中板（２）及び底板（３）の各天面側において前後各端部の左右側に各々配設した各下支持体（６ａ，６ｂ）と、前記中板（２）及び座板（１）の底面側における当該各下支持体（６ａ，６ｂ）に相対向する上支持体（５ａ，５ｂ）と、当該各上下支持体（５ａ，５ｂ，６ａ，６ｂ）間に介在する球体（８ａ，８ｂ）とを備え、
座板（１）と中板（２）との間に設ける下支持体（６ａ）は、上向きに窪み且つ左右に延長したガイド溝（７ａ）を、また上支持体（５ａ）には下向きに窪み且つ左右に延長したガイド溝（７ｂ）をそれぞれ設け、前記球体（８ａ）が各ガイド溝（７ａ，７ｂ）にそれぞれ当接しており、
また中板（２）と底板（３）との間に設ける前記下支持体（６ｂ）は、上向きに窪み且つ前後に延長したガイド溝（７ａ）を、また上支持体（５ｂ）には下向きに窪み且つ前後に延長したガイド溝（７ｂ）をそれぞれ設け、前記球体（８ｂ）が各ガイド溝（７ａ，７ｂ）にそれぞれ当接しており、
前記中板（２）天面側における下支持体（６ｂ）の前後いずれかの箇所の左右側に各々配設した各起立部材（９ａ，９ａ）と、当該各起立部材（９ａ，９ａ）間に架設する規制部材（１０ａ）と、座板（１）座面側に備えた垂下部材（１１，１１）と、該垂下部材（１１，１１）において座板（１）底面側との間に前記規制部材（１０ａ）を上下に挟むように取り付けられ且つ該規制部材（１０ａ）に沿って前記座板（１）とともに移動可能とする滑り部材（１２）とを備え
また前記底板（３）天面側における下支持体（６ｂ）の前後いずれかの箇所の左右側に各々配設した各起立部材（９ｂ，９ｂ）と、当該各起立部材（９ｂ，９ｂ）間に架設する規制部材（１０ｂ）と、中板（２）底面側に備えた垂下部材（１１，１１）と、該垂下部材（１１，１１）において中板（２）底面側との間に前記規制部材（１０ｂ）を上下に挟むように取り付けられ且つ該規制部材（１０ｂ）に沿って前記中板（２）とともに移動可能とする滑り部材（１２）とを備えていることを特徴とする健康椅子。
【請求項３】
前記座板（１）における使用者の臀部（Ｈ）を置く箇所には、上下に貫通した孔（１３）を設け、当該孔（１３）を覆うように前記座板（１）の孔（１３）の前後間、又は左右間に、無端状の帯体（１４）を架け渡していることを特徴とする請求項１又は２記載の健康椅子。
【請求項４】
前記座板（１）と中板（２）、及び当該中板（２）と底板（３）との間には、座板（１）及び中板（２）の前後又は左右への揺動を規制するストッパー（１６ａ，１６ｂ）をそれぞれ設けていることを特徴とする請求項１、２又は３記載の健康椅子。
【請求項５】
前記脚（４）のいずれかの下端部には、当該下端部と床面との間に介在して座板（１）座面を傾けるためのスペーサ（１７）を着脱可能に備えていることを特徴とする請求項１、２、３又は４記載の健康椅子。
【発明の詳細な説明】
【技術分野】
【０００１】
本発明は、腰掛けた状態にある使用者の身体、特に腰部を揺らして使用する態様の健康椅子に関するものである。
【背景技術】
【０００２】
椅子の座面が前後左右に揺れ動き、この椅子に腰掛けた使用者の腰部にマッサージ効果を付与する構成のものが過去に多数発表されている。
【特許文献１】実開平２−１２１８４１号公報（１頁目、図１）
【発明の開示】
【発明が解決しようとする課題】
【０００３】
この種の健康椅子では、椅子に腰掛けた使用者が前後又は左右のいずれかに揺り動かすだけであったから、座板座面の動きがどうしても単調なものとなり、購入後次第に飽きられて使われなくなることが多い。
【０００４】
本発明は、座板座面の多様な動きによって腰掛けた使用者の腰部、ひいては身体全体に心地よい刺激を与え、飽きの来ない長期的な使用を可能とする健康椅子を提供することにある。
【課題を解決するための手段】
【０００５】
本発明のうち請求項１記載の発明は、座板と中板と底板とを上下に三段重ね、さらに底板の底面側から複数本の脚を垂下して椅子型に構成し、前記中板及び底板の各天面側において前後各端部の左右側に各々配設した各下支持体と、前記中板及び座板の底面側における当該各下支持体に相対向する上支持体と、当該各上下支持体間に介在する球体とを備え、座板と中板との間に設ける下支持体は、上向きに窪み且つ前後に延長したガイド溝を、また上支持体には下向きに窪み且つ前後に延長したガイド溝をそれぞれ設け、前記球体が各ガイド溝にそれぞれ当接しており、また中板と底板との間に設ける前記下支持体は、上向きに窪み且つ左右に延長したガイド溝を、また上支持体には下向きに窪み且つ左右に延長したガイド溝をそれぞれ設け、前記球体が各ガイド溝にそれぞれ当接しており、前記中板天面側における下支持体の前後いずれかの箇所の左右側に各々配設した各起立部材と、当該各起立部材間に架設する規制部材と、座板座面側に備えた垂下部材と、該垂下部材において座板底面側との間に前記規制部材を上下に挟むように取り付けられ且つ該規制部材に沿って前記座板とともに移動可能とする滑り部材とを備えまた前記底板天面側における下支持体の左右いずれかの箇所の前後側に各々配設した各起立部材と、当該各起立部材間に架設する規制部材と、中板底面側に備えた垂下部材と、該垂下部材において中板底面側との間に前記規制部材を上下に挟むように取り付けられ且つ該規制部材に沿って前記中板とともに移動可能とする滑り部材とを備えていることを特徴とする。
【０００６】
また本発明の請求項２のように、底板と中板の間の上下各支持体の前後方向にガイド溝を設ける一方、座板と中板との間の上下各支持体の左右方向にガイド溝を設けていることで、前述した請求項１記載のものと中板、座板が前後左右相違する動きをするが全体の動きとしては同一のものとなる。
【０００７】
ここで規制部材、垂下部材、滑り部材は、底板から中板を、また当該中板から座板をそれぞれ揺動させながら、この各板の抜け出しを防止できるものであればよいから、具体的に、規制部材としてレール材や棒材等を用い、この規制部材を座板あるいは中板の各底面側、及び垂下部材と滑り部材とで囲んで、座板及び中板が規制部材に沿って前後又は左右に移動できると共に、上方への抜け出しが不能な状態となっている。また前後左右とは、本健康椅子に腰掛けた使用者が正面を向いた側を前としたものである。さらに滑り部材は、規制部材の底部に掛かると共に、該規制部材に沿って滑らかに接触するものであればよく、平滑な板材や丸棒、ローラー等が挙げられる。
【０００８】
以上のように本健康椅子を形成すると、使用時、上下各支持体のガイド溝間に介在した球体の転がりによって、使用者の意図する前後あるいは左右に向けて中板が揺動する一方、前記中板とは異なる前後あるいは左右方向に座板が各々揺動し、結果、座板及び中板による前後左右に組み合わされた例えば円、スクエア、トライアングル等の多彩なパターンの揺動が行える。しかも、垂下部材と滑り部材とが規制部材を離脱不能に配設してあるので、座板及び中板の揺動を規制することなく、各ガイド溝間からの球体の離脱を防ぐことができる。
【０００９】
本発明のうち請求項３記載の発明では、前記座板における使用者の臀部を置く箇所には、上下に貫通した孔を設け、当該孔を覆うように前記座板の孔の前後間、又は左右間に、無端状の帯体を架け渡しているので、使用者が腰掛けた際に臀部が帯体とともに孔に沈み込んで座板が揺動するという特性上、使用者が腰掛けた際の保持力が増し、使用時に振り落とされることがなく、安定した健康椅子の使用がなされる。
【００１０】
帯体は、例えば綿素材や網等の通気性を有するものであることが望ましい。また孔は使用者の臀部が沈み込むほどの大きさが確保されていればよく、その形状や大きさは特に限定しないが、臀部への接触を考慮し、角や縁が丸みを帯びるように形成してあることが望ましい。
【００１１】
本発明のうち請求項４記載の発明は、前記座板と支持板との間には、座板の左右揺動を規制するストッパーを設けているので、このストッパーが働いて座板と中板、あるいは中板と底板とが連結して該座板、中板の揺れを静止し、また解除すれば、座板と中板、中板と底板との連結状態が解除され、該座板、中板を再び運転者の意図する左右方向に揺り動かすことが可能となる。
【００１２】
ここでストッパーとしては例えば、フックのような止め金具、ネジ、面ファスナー等、各板の揺動と規制とを簡単な操作により切り替えられるものであれば、自由に選択してもよい。
【００１３】
本発明のうち請求項５記載の発明のように、前記脚のいずれかの下端部には、当該下端部と床面との間に介在して座板座面を傾けるためのスペーサを着脱可能に備えているので、脚の下端部と床面との間に介在したスペーサにより、本健康椅子の一側が持ち上げられて座板が傾斜し、結果、座板及び中板の二次元的な揺動に対し、傾きに伴う上下の三次元的な揺動が加えられる。
【発明の効果】
【００１４】
本発明のうち請求項１及び２記載の発明によれば、椅子に腰掛けた使用者に対し、使用者の意図する方向に上体の横揺れや縦揺れ、さらには相互の動きを組み合わせた多彩な揺れを促すので、使用者は揺動時に付与される様々な刺激によってリフレッシュでき、しかも、老人や子供、身障者などの比較的体力のない使用者であっても手軽に運動効果が得られることになる。
【００１５】
また請求項３記載の発明によれば、使用者が腰掛けた際、帯体の撓みによって臀部へのホールド感が付与されるので、使用者は快適な座り心地を得られるのは勿論、揺動時に振り落とされる心配がなく、安全に使用できる。
【００１６】
本発明のうち請求項４記載の発明によれば、本健康椅子の未使用時には座板あるいは中板を不動状態に静止しておけるので、通常の椅子としても使用できる。
【００１７】
本発明のうち請求項５記載の発明によれば、前後左右の二次元的な揺動に加えて上下の三次元的な方向に揺らせるので、使用者を飽きさせることなく、長期的な利用が望めることとなる。
【発明を実施するための最良の形態】
【００１８】
本発明の座布団の具体的な構成について、各図面に基づいて以下に説明する。
【００１９】
本健康椅子は図１と図２に示すように、使用者の腰掛ける座板１と中板２と底板３を上下に三段に重ねており、さらに前記底板３の底面側から６本の脚４を垂下して椅子型に形成しており、さらに座板１の中央には、臀部Ｈの大きさに対応した孔１３が空き、その孔１３には無端状をなす腰掛用の帯体１４が架け渡してある。
尚、符号１８は、半透明アクリル板であり、中板２に設けることで本健康椅子の軽量化を図るものである。
【００２０】
さらに本健康椅子における使用者が腰掛けた際の中板２と底板３、及び座板１と中板２の揺動を行う機能部分について説明する。
まず座板１と中板２の間には図３（ａ）（ｂ）のように、座板１底面側に左右に延長したブロック状をなす下支持体６ａを備える一方、中板２の天面側における前記下支持体６ａとの対応箇所には、同じくブロック状をなす上支持体５ａを備えている。そして下支持体６ａの下端面側と上支持体５ａの上端面側には、断面凹溝状のガイド溝７ａ，７ｂをそれぞれ設けており、さらに各ガイド溝７ａ，７ｂ間には球体８ａが介在し、この球体８ａの転がりによって中板２からの座板１の左右方向への揺動を可能としている。
【００２１】
そして前述した上下各支持体５ａ，６ａの左右側には図４と図５（ａ）（ｂ）のように、中板２天面側の前後に間隔をあけた二箇所において起立部材９ａ，９ａをそれぞれ設けてあり、さらに各起立部材９ａ，９ａ間には、規制部材１０ａが架け渡してある。一方、座板１底面側には、前記規制部材１０ａを挟むように２枚の垂下部材１１，１１が各々配設してあり、さらに前記各垂下部材１１，１１の下端部間には当接板１２が介在し、座板１も含めて起立部材１０ａを囲む状態となっている。また、垂下部材１１，１１は上側から下側に向かって次第に狭まるようなテーパ状に形成してあり、これによって、座板１底面側への取り付け時にはネジ２５頭が露出し、このネジ２５頭にドライバ工具を下方側から垂直に差し込めるので、本健康椅子製造時の垂下部材１１の取り付けや、あるいはメンテナンス等が容易となる。
【００２２】
また中板２と底板３との間では、基本的な構成は座板１と中板２との間と同様のものであるが、相違する点としては、各ガイド溝７ａ，７ｂ及び起立部材９ｂ，９ｂ、規制部材１０ｂ，１０ｂの各々が前後方向に延長している点である。このように形成すると図６のように、座板１は中板２の前後方向に、そして前記中板２は底板３の左右方向にそれぞれ揺動するので、例えば図７（イ）（ロ）（ハ）（ニ）に示すように、座板１は前後左右組み合わされた多彩なパターンで揺れ動かすことができる。また、座板１の中板２における揺動時の詳細は図８（ａ）（ｂ）（ｃ）のようになり、ストッパー１６ａの解除によって、上下支持体５ａ、６ａのガイド溝７ａ，７ｂ間に介在した球体８ａが転がり、また図９（ａ）（ｂ）（ｃ）は、底板３における中板２の揺動時の詳細を示すものであり、この場合でも上下支持体５ｂ，６ｂのガイド溝７ａ，７ｂ間に介在した球体８ｂのころがりによって中板２が横方向に摺動する。
【００２３】
さらにストッパー１６ａは図１０（ａ）（ｂ）のように、座板１の前側側面の中央位置に、蝶番２３に軸支され、且つ上下方向に回動する掛金具２２を備えており、使用時に前記掛金具２２の先端側を持ち上げることで、座板１の嵌凹部２４に前記先端が掛止されて、座板１の揺動を規制するしくみとなっている。また使用を止める場合には、前記掛金具２２の先端側を下ろすような操作を行うことで、該掛金具２２の先端側が座板１側に設けた嵌凹部２４から離れ、これにより座板１の揺動を許可する。
尚、中板２と底板３の揺動を規制又は解除するストッパー１６ｂは、前述した座板１と中板２のストッパー１６ａとほぼ同一の構造をなすものであるから、ここでは詳細な説明を省略した。
【００２４】
また図１１（ａ）（ｂ）に示すものは、本健康椅子の一つの脚４の下端にスペーサ１７を介在し、座板１の座面が傾くようにしたものである。具体的には、スペーサ１７の天面に円形の窪み穴１９が設けてあり、この窪み穴１９の中に脚４の下駄２０が置かれて座板１の座面の勾配をつけるものである。さらに下駄２０は、脚４の下端部に首振りが可能に取り付けてあり、スペーサ１７の介在によって本健康椅子の全体が傾いても前記下駄２０も対応して傾き、窪み穴１９の底面に対して水平に接地するようになっている。また脚４は、ボルトからナットをネジ回しすることで上下し、高さの微調節を行うことができる。
【００２５】
さらに図１２（ａ）（ｂ）（ｃ）は、本健康椅子にカバー２１を被せたものである。この場合には、使用時に座板１、中板２、底板３による機械的な動きが使用者側の視点から隠れ、本健康椅子の意匠的な見栄えや室内とのマッチング等の観点での効果が得られる。しかも、各板１，２，３の間に手を挟むような事故についても、前記カバー２１に遮られて未然に防がれるようになる。
【図面の簡単な説明】
【００２６】
【図１】本発明の健康椅子の平面図である。
【図２】同じく、本発明の健康椅子の正面図である。
【図３（ａ）（ｂ）】底板からの中板の揺動時における拡大縦断面図である。
【図４】垂下部材及び当接板と規制部材との関わりを示す拡大縦断面図である。
【図５（ａ）（ｂ）】座板の揺動時における垂下部材及び当接板と規制部材との関わりを示す拡大縦断面図である。
【図６】座板、中板、底板の各々の揺動時に機能する部分のみを示した説明図である。
【図７】（イ）（ロ）（ハ）（ニ）は、使用時の座板と中板とが組み合わされた揺動のパターンを示す説明図である。
【図８（ａ）（ｂ）（ｃ）】それぞれ座板の揺動時の状態を示す正面図である。
【図９（ａ）（ｂ）（ｃ）】それぞれ中板の揺動時の状態を示す正面図である。
【図１０（ａ）（ｂ）】（ａ）は座板と中板とのストッパーのロック時の状態を示し、（ｂ）はストッパーの解除時を示す斜視図である。
【図１１（ａ）（ｂ）】本健康椅子の脚と床面との間にスペーサを介在した状態を示す正面図である。
【図１２（ａ）（ｂ）（ｃ）】本発明の健康椅子にカバーを被せたものの正面図である。
【符号の説明】
【００２７】
１  座板
２  中板
３  底板
４  脚
５ａ，５ｂ  上支持体
６ａ，６ｂ  下支持体
７ａ，７ｂ  ガイド溝
８ａ，８ｂ  球体
９ａ，９ｂ  起立部材
１０ａ，１０ｂ  規制部材
１１  垂下部材
１２  当接板（滑り部材）
１３  孔
１４  帯体
１６ａ，１６ｂ  ストッパー
１７  スペーサ
Ｈ  臀部
【図１】
2006020952.tif 000003
【図２】
2006020952.tif 000004
【図３（ａ）（ｂ）】
2006020952.tif 000005
【図４】
2006020952.tif 000006
【図５（ａ）（ｂ）】
2006020952.tif 000007
【図６】
2006020952.tif 000008
【図７】
2006020952.tif 000009
【図８（ａ）（ｂ）（ｃ）】
2006020952.tif 000010
【図９（ａ）（ｂ）（ｃ）】
2006020952.tif 000011
【図１０（ａ）（ｂ）】
2006020952.tif 000012
【図１１（ａ）（ｂ）】
2006020952.tif 000013
【図１２（ａ）（ｂ）（ｃ）】
2006020952.tif 000014